(57)【要約】【課題】  本発明は、カラー複写機などによる複写を防止でき、かつデザインに影響を与えず、既存の印刷装置を利用し安価に製造できる偽造防止印刷物を提供する。【解決手段】  本発明の偽造防止印刷物１は、シート材２の表面２１に、該シート材２と同系色の蛍光体３が設けられてなる偽造防止印刷物１であって、前記蛍光体３は、赤外線によって励起され、可視光領域の光を発光する構成とする。また、他の形態として、シート材２の表面２１に、該シート材２と同系色の蛍光体３が設けられてなる偽造防止印刷物１であって、前記蛍光体３は、紫外線によって励起され、可視光領域の光を発光する構成とする。【選択図】  図１
2005088546.tif 000002
【特許請求の範囲】
【請求項１】
シート材の表面に、該シート材と同系色の蛍光体が設けられてなる偽造防止印刷物であって、
前記蛍光体は、赤外線によって励起され、可視光領域の光を発光することを特徴とする偽造防止印刷物。
【請求項２】
シート材の表面に、該シート材と同系色の蛍光体が設けられてなる偽造防止印刷物であって、
前記蛍光体は、紫外線によって励起され、可視光領域の光を発光することを特徴とする偽造防止印刷物。
【発明の詳細な説明】
【技術分野】
【０００１】
本発明は、偽造防止印刷物に関する。
【背景技術】
【０００２】
近年、カラー複写機やプリンターなどの複写性能が大幅に向上し、高画質の複写が可能となっており、各種の有価証券類等の偽造を容易にしている。これを防止するため種々の偽造防止印刷物が提案されている。
例えば、印刷の濃度を部分的若しくは段階的に変化させた文字や図柄などが印刷され、複写機の濃度認識を誤読させる偽造防止印刷物や、網点や万線を利用して文字や図柄などが浮き上がって見えるようにした偽造防止印刷物などが挙げられる。
しかし、デザインや使用できる色に制限があり、また高画質の複写性能を有するカラー複写機が普及しており、前記した偽造防止印刷物では偽造を防ぐことができない場合がある。
また、デザインに影響を与えない偽造防止印刷物としては、パール印刷，ホログラム印刷，厚盛り印刷，立体視印刷などの技術を用いて印刷されたものが挙げられる。しかし、いずれも印刷に係る材料が高価であり、また特殊な印刷技術が必要であり、偽造防止印刷物が高価となってしまう問題がある。
前記した偽造防止印刷物としては、以下の特許文献１，２などが挙げられる。
【０００３】
また、偽造防止印刷物として、紫外線又は赤外線の照射により発光する蛍光物質を含有する印刷層が設けられたものも提案されている（特許文献３，４参照。）。この偽造防止印刷物では、紫外線又は赤外線を照射することによって、蛍光物質が発光し、真偽判定できるようになっている。
しかし、この蛍光物質を含有する印刷層が設けられた偽造防止印刷物では、ブラックライトや赤外線レーザなどの専用の光源を用いて、蛍光物質が発光するかどうか確認するようになっており、例えばカラー複写機などによる複写を防止することは考慮されていないのが現状である。
【特許文献１】特開２００２−２１１１０２号公報
【特許文献２】特開２００３−１８６３７７号公報
【特許文献３】特開２００２−２７４０００号公報
【特許文献４】実開昭５７−１９１５７６号公報
【発明の開示】
【発明が解決しようとする課題】
【０００４】
本発明の目的は、上記した事情に鑑みなされたものである。すなわちカラー複写機などによる複写を防止でき、かつデザインに影響を与えず、既存の印刷装置を利用し安価に製造できる偽造防止印刷物を提供することを目的とする。
【課題を解決するための手段】
【０００５】
すなわち、本発明に係る偽造防止印刷物は、シート材の表面に、該シート材と同系色の蛍光体が設けられてなる偽造防止印刷物であって、前記蛍光体は、赤外線によって励起され、可視光領域の光を発光することを特徴としている。
【０００６】
また、本発明に係る偽造防止印刷物の他の形態は、シート材の表面に、該シート材と同系色の蛍光体が設けられてなる偽造防止印刷物であって、前記蛍光体は、紫外線によって励起され、可視光領域の光を発光することを特徴としている。
【発明の効果】
【０００７】
本発明に係る偽造防止印刷物によれば、赤外線又は紫外線によって効率良く励起されて可視光を発光する蛍光体がシート材の表面に設けられたことによって、偽造防止印刷物が複写機にて印刷された際、蛍光体がランプの光によって励起されて可視光を発光し、この蛍光体の光によって印刷情報とは異なる複写物しか得られないようにすることができ、印刷物の複写を防止できる。
また、シート材と同系色の蛍光体が設けられたことによって、室内光や自然光のもとでは蛍光体を視認できず、優れた安全性が実現できる。また、デザインに影響を与えることがなく、意匠性に優れ、種々の印刷物に適用できる。
また、蛍光体は比較的安価であり、かつ既存の装置を用い、公知の方法によってシート材に設けることができるため、安価な偽造防止印刷物を製造できる。
【発明を実施するための最良の形態】
【０００８】
図１は、本発明の偽造防止印刷物１の一例を示す模式図である。本発明の偽造防止印刷物１は、シート材２の表面２１に、シート材２と同系色の蛍光体３が設けられてなるものである。
前記シート材２としては、例えば、上質紙，ＯＣＲ紙，ノーカーボン紙，アート紙などの紙類や、塩化ビニル，ポリエステル，ＰＥＴ，ポリプロピレン，セロファン，アセテート，ポリカーボネート，アクリルなどのプラスチックフィルムなどが挙げられる。
このシート材２の表面２１には、図柄，模様，文字情報などの印刷層４が印字、印刷されている。
【０００９】
蛍光体３は、シート材２の表面２１、すなわち図柄，模様，文字情報などの印刷層４が印字，印刷可能な面に設けられており、シート材２上に直接、蛍光体印刷層３１として設けられている。
蛍光体３を蛍光体印刷層３１としてシート材２上に直接、設ける方法としては、例えば蛍光体３をバインダー樹脂などと混合してインキ化し、公知の印刷法によりシート材２の表面２１に塗布、乾燥する方法や、シート材２の表面２１の加工工程において、顔料や接着剤と共に蛍光体３をシート材２の表面２１に塗工する方法などが挙げられる。
【００１０】
なお、蛍光体３は、印刷層４上に設けられていても構わない。この場合、蛍光体印刷層３１を透して印刷層４の図柄，模様，文字情報などが視認できるように、蛍光体印刷層３１中の蛍光体３の含有量などを調整しておく。
また、シート材２として紙類を用いる場合、蛍光体３が含有されたシート材２としても構わない。例えばシート材２を製造する工程のうち抄紙工程において、パルプ溶液に蛍光体３を添加して常法により漉くことによって、蛍光体３が含有されたシート材２とすることができる。
また、蛍光体３は、図１に示されたように、シート材２の表面２１に、文字として設けられていても構わないが、格子状，斜線形，波形などの筋状、円，楕円，矩形，多角形，星形などの図柄，模様として設けられたり、シート材２全面に設けられていても構わない。
【００１１】
蛍光体３は、通常、白色又は淡色の粉末であるため、白色のシート材２に設けた場合、蛍光体３はシート材２と同系色となり、室内光や自然光のもとでは蛍光体３を視認できないようになっている。また、蛍光体３とシート材２が異なる色であっても、蛍光体３に顔料粉末を混合することによって、蛍光体３をシート材２と同系色とすることができる。
【００１２】
前記蛍光体３としては、紫外線によって励起し、可視光領域の光を発光する紫外線励起蛍光体や、赤外線によって励起し、可視光領域の光を発光する赤外線励起蛍光体が挙げられる。
紫外線励起蛍光体としては、Ｙ２Ｏ３：Ｅｕ（発光波長：６２０〜６３０ｎｍ）、ＺｎＳ：Ｃｕ（発光波長：５３０〜５４０ｎｍ）、ＺｎＳ：Ａｌ（発光波長：４４５〜４５５ｎｍ）などの３５０ｎｍ付近の紫外線によって励起するものなどが挙げられる。
また、赤外線励起蛍光体としては、ＹＦ３：Ｙｂ＋Ｅｒ（発光色：緑〜赤）、ＹＦ３：Ｙｂ＋Ｔｍ（発光色：青）などのＹｂ３＋，Ｅｒ３＋，Ｈｏ３＋を賦活剤とした希土類蛍光体などが挙げられる。
ここで、本明細書中、蛍光体３は、主成分である母体結晶の化学式の後に（：）を設け、（：）の後に、母体結晶中に分散させた賦活剤又は発光中心を記載して表わす。
【００１３】
特に本発明では、シート材２に設けられた蛍光体３が、複写機に用いられるランプの光によって効率良く励起されて可視光を発光するように、平均粒子径，粒度分布などの粉体特性や蛍光体３の組成比などが調整されていることが好ましい。
これにより、偽造防止印刷物１が複写機にて複写された際、シート材２に設けられた蛍光体３が、複写機のランプの光によって励起されて可視光を発光し、この蛍光体３の光によって印刷層４の図柄，模様，文字情報とは異なる複写物しか得られないようにすることができ、偽造防止印刷物１の複写を防止できる。
【００１４】
通常、複写機にはハロゲンランプ又はキセノンランプが使用されている。図２は、ハロゲンランプ又はキセノンランプの放射スペクトルの一例を示す図である。また、図３は、複写機用に分光特性が調整されたハロゲンランプの放射スペクトルを示す図である。図４は、複写機用に分光特性が調整されたキセノンランプのランプ電力を一定にしたときの放射スペクトルを示す図である。
ハロゲンランプの放射スペクトルでは、ランプ温度によって放射ピークが変動するが、９００〜１４００ｎｍにて放射強度が最大となり、５００〜２５００ｎｍに渡って広く分布した放射スペクトルであることが分かる。
これに対して、キセノンランプの放射スペクトルでは、複数の放射ピークがあることが分かる。
このハロゲンランプとキセノンランプの放射スペクトルにおいて、赤外領域の８３０ｎｍと８８０ｎｍの近傍にて、共に高強度の放射光が得られることが分かる。
【００１５】
以上により、シート材２に設ける蛍光体３としては、その励起スペクトルの吸収ピークが８３０ｎｍ又は８８０ｎｍにあり、複写機に用いられるハロゲンランプ又はキセノンランプの光によって効率良く励起されて可視光を発光するものを用いる。
具体的には、蛍光体３として、ＺｒＦ４：Ｅｒ３＋又はＺｒＦ４：Ｔｍ３＋を用いることによって、複写機に用いられるハロゲンランプ又はキセノンランプの光によって効率良く励起されて可視光を発光させることができる。
特に、賦活剤となるＥｒ３＋，Ｔｍ３＋の含有量は０．００１〜１％が好ましく、また平均粒径は０．５〜１．５μｍが好ましい。これにより、ハロゲンランプ又はキセノンランプの光によって、より効率良く励起されて高輝度の可視光を発光させることができる。
【００１６】
前述した蛍光体３が設けられたシート材２の表面２１に、所定の図柄，模様，文字情報などの印刷層４を印字、印刷することによって偽造防止印刷物１とすることができる。
この偽造防止印刷物１では、蛍光体３がシート材２と同系色であるため、室内光や自然光のもとでは蛍光体３を視認できず、シート材２に印刷された所定の図柄，模様，文字情報などの印刷層４の印刷情報のみが視認される。
偽造防止印刷物１を複写機で印刷する際、シート材２に設けられた蛍光体３が複写機のランプの光によって励起されて可視光を発光し、この蛍光体３の光によって印刷層４の印刷情報とは異なる複写物しか得られない。このように複写機で複写する際、蛍光体３が発光して偽造防止印刷物１の複写が防止される。
【００１７】
本発明の偽造防止印刷物１によれば、複写機に用いられるランプの放射スペクトルのうち、赤外線又は紫外線によって効率良く励起されて可視光を発光する蛍光体３がシート材２の表面２１に設けられたことによって、偽造防止印刷物１が複写機にて印刷された際、蛍光体３がランプの光によって励起されて可視光を発光し、この蛍光体３の光によって印刷層４の印刷情報とは異なる複写物しか得られないようにすることができ、偽造防止印刷物１の複写を防止できる。
【００１８】
また、蛍光体３は、顔料と混合することによって所望の色に着色することも可能であり、容易に偽造防止印刷物１の基材となるシート材２と同系色とすることができる。このため、従来の網点や万線を利用して文字や図柄などが浮き上がって見えるようにした偽造防止印刷物とは異なり、室内光や自然光のもとでは蛍光体３を視認できず、優れた安全性が実現できる。また、デザインに影響を与えることがなく、意匠性に優れ、種々の印刷物に適用できる。
特に、蛍光体３は、通常、白色又は淡色であるため、ＰＰＣ用紙などの白色のシート材２にも適用できる。
また、蛍光体３は比較的安価であり、かつ既存の装置を用い、公知の方法によってシート材２に設けることができる。特に、白色のシート材２に白色の蛍光体３を設ける場合、他の顔料などを用いる必要がなく、蛍光体３のみでよいため、ほとんどコストアップにならず、通常の印刷物とほぼ同等の価格とすることができる。このように安価な偽造防止印刷物１を製造できる。
【００１９】
なお、本発明の技術範囲は、上記の実施形態に限定されるものではなく、本発明の趣旨を逸脱しない範囲において種々の変更を加えることが可能である。
例えば、本発明の偽造防止印刷物１は、図１に示された預り証に限定されず、印刷層４の図柄，模様，文字情報やシート材２を適宜選択することによって、手形，小切手，株券，債券，船荷証券，倉庫証券，貨物引換証，商品券などの有価証券、パスポート、紙幣，通行証，投票用紙などに適用できる。
また、蛍光体３が、特定の図柄，模様，文字情報として設けられ、偽造防止印刷物１を複写した際、この蛍光体３によって複写物に現れる特定の図柄，模様，文字情報を照合することによって、偽造防止印刷物１の真贋を判定できるようにしても構わない。
【産業上の利用可能性】
【００２０】
本発明の偽造防止印刷物では、複写機にて印刷された際、印刷情報とは異なる複写物しか得られないようにすることができるため、有価証券，パスポート，紙幣，通行証，投票用紙などに利用できる。
【図面の簡単な説明】
【００２１】
【図１】本発明の偽造防止印刷物の一例を示す模式図である。
【図２】ハロゲンランプ又はキセノンランプの放射スペクトル分布の一例を示す図である。
【図３】複写機用に分光特性が調整されたハロゲンランプの放射スペクトルを示す図である。
【図４】複写機用に分光特性が調整されたキセノンランプのランプ電力を一定にしたときの放射スペクトルを示す図である。
【符号の説明】
【００２２】
１‥‥偽造防止印刷物、２‥‥シート材、３‥‥蛍光体、２１‥‥シート材の表面
【図１】
2005088546.tif 000003
【図２】
2005088546.tif 000004
【図３】
2005088546.tif 000005
【図４】
2005088546.tif 000006